(57)【特許請求の範囲】
【請求項１】
デジタル放送を受信しうるデジタル放送用チューナと、
上記デジタル放送用チューナに接続され、上記デジタル放送用チューナで受信したコンテンツをデジタル方式からアナログ方式に変換しアナログ方式で出力するデジタル／アナログ変換装置と、
上記デジタル／アナログ変換装置によって変換されたアナログ方式データを取り込みデジタル方式データに再変換するキャプチャーデバイスと、
上記デジタル方式データを保存しうる記憶装置とを備え、
上記デジタル／アナログ変換装置は信号線を介して直接上記キャプチャーデバイスに接続されていることを特徴とするデジタル放送録画装置。
【請求項２】
上記記憶装置と、専用線を介して、パーソナルコンピュータに接続しうる接続端子を更に備えることを特徴とする請求項１に記載のデジタル放送録画装置。
【請求項３】
上記記憶装置と、ＬＡＮ回線を介して、パーソナルコンピュータに接続しうる接続端子を備えることを特徴とする請求項１または請求項２に記載のデジタル放送録画装置。
【請求項４】
上記記憶装置に保存されたデジタル方式データを外部記録メディアに保存しうる外部記録メディア用ドライブを更に備えることを特徴とする請求項１から請求項３いずれか１項に記載のデジタル放送録画装置。
【発明の詳細な説明】
【技術分野】
【０００１】
本発明は、地上波及び衛星波デジタル放送を録画するためのデジタル放送録画装置に関する。
【背景技術】
【０００２】
ＴＶ放送の２０１１年７月１１日の完全デジタル放送化に向け、地上波デジタル放送受信対応のテレビ受信機及びＤＶＤレコーダ等の機器の普及率が既に７０％を超えている。
【０００３】
地上波及び衛星波デジタル放送は、従来のアナログ放送と比較して、映像が美しく、且つ文字データ等の多用なデータ放送が可能である等の利点を有している。
一方、デジタル放送をＤＶＤ等のデジタル機器に録画した場合、アナログ放送の録画と比較して、画像品質が全く劣化しないことから、不正コピー品の流通を防止する名目で、ＣＰＲＭ（Ｃｏｎｔｅｎｔ Ｐｒｏｔｅｃｔｉｏｎ ｆｏｒ Ｒｅｃｏｒｄａｂｌｅ Ｍｅｄｉａ）方式によるコピー制御を行われており、コピーを一回のみ可能とする所謂「コピーワンス」の制約、若しくはコピー回数を１０回以内に制約する所謂「ダビング１０」等の制約がされている。
従って、例えば「コピーワンス」の制約下においては、放送番組をレコーダのハードディスクに録画した時点で、既に一回目のコピーとみなされることから、録画データをＤＶＤ等のデジタルメディアに更にコピーすることはできない。
このため、ＤＶＤに上記録画データを記録する場合は、ＤＶＤへの記録と同時にハードディスク上の録画データが消去される所謂ムーブとして行う必要があり、コピー元の録画データが消去されることから、複数のＤＶＤメディアにコピーすることは不可能であった。
更に、ＤＶＤにコピーされた録画データをパソコン上で再生するためには、上記ＣＰＲＭに対応したＤＶＤドライブ及びソフトウェアが必要であることから、家庭内において、複数のパーソナルコンピュータを有している場合には、夫々のパーソナルコンピュータに上記専用のハード及びソフトウェアを接続及びインストールする必要があった。
【０００４】
また、上記ＣＰＲＭに対応したＤＶＤで再生したコンテンツをアナログ端子から出力した場合であっても、当該アナログ方式データに対してＣＧＭＳ−Ａ（ＣＧＭＳ-Ａ（Ｃｏｐｙ Ｇｅｎｅｒａｔｉｏｎ Ｍａｎａｇｅｍｅｎｔ Ｓｙｓｔｅｍ - Ａｎａｌｏｇ）によるコピーガードがなされている場合があるため、他メディアへアナログ方式データのままコピーすることはできない。
上記のような制約は、ＣＳ放送等の有料放送のみならず、一般地上デジタル放送のような無料放送においても同様に設定されているため、家庭用・個人用であっても、自由に録画放送が楽しめなくなる虞があった。
【０００５】
上記を解決するために、コピー可能回数を増加する対策が検討されているが、コピー回数に制約がある以上、メディアを破損した場合等を考慮すると、上記問題の本質的な解決とはならない。
また、上記アナログ方式データに対するＣＧＭＳ−Ａのコピーガードを除去し、アナログ方式データそのものを、コピーが可能な状態とすることは、不正競争防止法に抵触する虞があった。
【発明の開示】
【発明が解決しようとする課題】
【０００６】
本発明の課題は、上記不具合を解決するものであり、デジタル放送の録画データを、現在なされているコピーガード機能を不正に除去することなく、パーソナルコンピュータ上においても特別な暗号処理をせずに再生・コピーを可能とするデジタル形式ファイルを出力するデジタル放送録画装置を提供することにある。
【課題を解決するための手段】
【０００７】
上記課題を解決するために、請求項１に記載した発明では、デジタル放送を受信しうるデジタル放送用チューナと、上記デジタル放送用チューナに接続され、上記デジタル放送用チューナで受信したコンテンツをデジタル方式からアナログ方式に変換しアナログ方式で出力するデジタル／アナログ変換装置と、上記デジタル／アナログ変換装置によって変換されたアナログ方式のデータを取り込みデジタル方式データに再変換するキャプチャーデバイスと、上記デジタル方式データを保存しうる記憶装置とを備え、上記デジタル／アナログ変換装置は信号線を介して直接上記キャプチャーデバイスに接続されていることを特徴とする。
上記キャプチャーデバイスによって、デジタル方式データに変換する際、上記キャプチャーデバイスはアナログデータに対するコピーガード機能（ＣＧＭＳ−Ａ）には反応しない。
また、アナログデータを介していることから、デジタル方式のままのコピーと異なり、映像品質は劣化するものの、ＣＰＲＭの制約を受けることが無い。
なお、本過程は、ＣＧＭＳ−Ａ、ＣＰＲＭを除去するものではない。
なお、上記によって、最終的に保存されるデジタル方式データは、ＡＶＩ、ＭＰＥＧ４等の任意の形式ファイルとすることができる。
【０００８】
また、請求項２に記載した発明では、上記記憶装置は、専用線を介してパーソナルコンピュータに接続しうる接続端子を備えることを特徴とする。
従って、上記記憶装置を上記パーソナルコンピュータの外部記憶装置として取り扱うことが可能であり、上記記憶装置に保存されている保存されたデジタル方式データの参照及びコピーが可能である。
【０００９】
また、請求項３に記載した発明では、上記記憶装置は、ＬＡＮ回線を介してパーソナルコンピュータに接続しうる接続端子を備えることを特徴とする。
従って、ＬＡＮ回線中データの暗号化に関するＤＴＣＰ−ＩＰ等の規格に対応する機器を介することなく、通常の家庭内ＬＡＮ等に直接接続することによって、複数のパーソナルコンピュータから保存された上記デジタルデータを参照することができる。
【００１０】
また、請求項４に記載した発明では、上記記憶装置に保存されたデジタル動画ファイルを外部記録メディアに保存しうる外部記録メディア用ドライブを更に備えることを特徴とする。
従って、保存された上記デジタル方式データをＤＶＤ等の外部記録メディアに保存することができる。
なお、この際上記デジタル方式データにはＣＰＲＭによる制約がかかっていないため、別途のハードウェア及びソフトウェアは不要である。
【発明の効果】
【００１１】
請求項１の発明にあっては、デジタル放送を受信しうるデジタル放送用チューナと、上記デジタル放送用チューナに接続され、上記デジタル放送用チューナで受信したコンテンツをデジタル方式からアナログ方式に変換しアナログ方式で出力するデジタル／アナログ変換装置と、上記  デジタル／アナログ変換装置によって変換されたアナログ方式のデータを取り込みデジタル方式データに再変換するキャプチャーデバイスと、上記デジタル方式データを保存しうる記憶装置とを備え、上記デジタル／アナログ変換装置は信号線を介して直接上記キャプチャーデバイスに接続されていることから、上記キャプチャーデバイスは、ＣＧＭＳ−Ａに反応しないため、デジタル放送の録画データを、現在なされているコピーガード機能を不正に除外することなく、パーソナルコンピュータ上においても特別な暗号処理をせずに再生・コピーが可能なデジタル形式ファイルを出力するデジタル放送録画装置を提供することができる。
なお、上記キャプチャーデバイスはあくまでＣＧＭＳ−Ａに無反応であり、ＣＧＭＳ−Ａによるコピーガード機能を除去するものではない。
なお、上記キャプチャーデバイスのように、所謂コピーガード機能に無反応である機器については、東京地裁平成２０年（ワ）第２０８８６号 「不正競争行為差止請求事件」の判決文中において、「合同会議報告書」内容の引例として示された「コピー管理又はアクセス管理のためにコンテンツに施されている信号を検知しない機器（いわゆる無反応機器）の問題については，『これらの機器（無反応機器）が規制されると，コンテンツ提供業者側が自らの利益確保のための信号を一方的に付することが許されるのに対して，機器の提供者側は，全てのコピー・アクセス機器が信号を検知しこれに従うよう措置するよう法的に強制されることとなり，バランスを欠くのではないか』・・・中略・・・こうした点を踏まえ，無反応機器に対する規制は行わないことが適当である。」旨の見解から、不正競争防止法の観点において、特に規制の対象となる機器ではないと考えられる。
【００１２】
また、請求項２に記載した発明にあっては、上記記憶装置は、専用線を介してパーソナルコンピュータに接続しうる接続端子を備えることから、請求項１の効果に加え、保存された上記デジタル方式データの、パーソナルコンピュータへの取り込みが容易となる。
なお、この接続方式は、ＵＳＢ端子等任意の端子が選択できる。
【００１３】
また、請求項３に記載した発明では、上記記憶装置は、ＬＡＮ回線を介してパーソナルコンピュータに接続しうる接続端子を備えることから、請求項１及び２の発明の効果に加え、ＬＡＮ回線中データの暗号化に関するＤＴＣＰ−ＩＰ等の規格に対応する機器を介することなく、通常の家庭内ＬＡＮ等を介して、複数のパーソナルコンピュータ上で上記デジタル方式データを共有することが可能となる。
【００１４】
また、請求項４に記載した発明では、上記記憶装置に保存されたデジタル動画ファイルを外部記録メディアに保存しうる外部記録メディア用ドライブを更に備えることから、請求項１から請求項３に係る発明の効果に加え、簡易にＤＶＤ等の外部媒体に上記デジタル方式データを保存できる。
なお、上記デジタル方式データには、ＣＰＲＭによる制約がないことから複数枚のＤＶＤへのコピーが可能であると共に、上記ＤＶＤに保存されたデジタル方式データの再生に別途のハードウェア及びソフトウェアは不要である。
【図面の簡単な説明】
【００１５】
【図１】本発明の一実施の形態を示し、実施例の形態におけるデジタル放送録画装置の機能構成図である。
【発明を実施するための最良の形態】
【００１６】
本発明を実施するための形態について、添付図面を用いて説明する。
図１に示すように、本実施例に係るデジタル放送録画装置１０は、デジタル放送を受信しうるデジタル放送用チューナ１１と、上記デジタル放送用チューナ１１に接続され、上記デジタル放送用チューナ１１で受信したコンテンツをデジタル方式からアナログ方式に変換しアナログ方式で出力するデジタル／アナログ変換装置１３と、上記デジタル／アナログ変換装置１３によって変換されたアナログ方式データ１４を取り込みデジタル方式データ１５に再変換するキャプチャーデバイス１６と、上記デジタル方式データ１５を保存しうる記憶装置１７とを備えている。
また、上記記憶装置１７は、ＵＳＢ等の専用線１８を介してパーソナルコンピュータ１９に接続しうる接続端子２０を備えていると共に、ＬＡＮ回線２１を介してパーソナルコンピュータ２２，２３に接続しうる接続端子２４を備えている。
また、上記記憶装置１７に保存されたデジタル方式データ１５を外部記録メディア２５に保存しうる外部記録メディア用ドライブ２６を備えている。
【００１７】
上記構成における実施例について添付図面を用いて詳述する。
図１に示すように、地上波若しくは衛星波の放送電波２７は、アンテナ１２を経由して、デジタル放送用チューナ１１で受信される。
【００１８】
上記デジタル放送用チューナ１１から出力されたデジタル方式データ２８は、デジタル／アナログ変換装置１３に入力される。
この際、ＭＰＥＧ２、Ｈ．２６４等のフォーマット形式の映像データがアナログ方式データ１４に変換される。
【００１９】
更に上記アナログ方式データ１４は、キャプチャーデバイス１６によって、所定のフォーマットのデジタル方式データ１５に変換される。
なお、上記デジタル方式データの１５のフォーマットとしてはＡＶＩ形式、Ｍｐｅｇ-４形式等が選択可能である。
【００２０】
上記の過程において、アナログ方式データ１４にはＣＧＭＳ−Ａによるコピーガード情報が含まれているが、上記キャプチャーデバイスは、上記コピーガード情報に反応しない。
従って、変換後のデジタル方式データ１５には、何らのコピーガード制約は無く、またファイル形式も通常のパーソナルコンピュータであれば、容易に再生可能なものであるため、専用線１８若しくはＬＡＮ回線２１等を介してパーソナルコンピュータ１９．２２，２３に取り込むことによって、視聴が可能となる。
この際、ＬＡＮに接続する場合であっても、ＬＡＮ回線中データの暗号化に関するＤＴＣＰ−ＩＰ等の規格に対応する機器等を介する必要は無い。
また、上記デジタル方式データ１５は、当初のデジタル方式データ２８におけるＣＰＲＭによる制約を受けることが無いため、外部記録メディア用ドライブ２６若しくは各パーソナルコンピュータ１９，２２，２３に接続されている外部記録メディア用ドライブ（図１には図示せず）を経由して、制限無くＤＶＤ等の外部メディアにコピーすることが可能である。
【００２１】
本実施例によれば、録画データを家族間等で自由に共有する事が可能であり、ＤＶＤメディアの劣化や破損が発生した場合であっても、新たにＤＶＤメディアへのコピーが可能であるため、重要な記録を長期間に亘って安定して保存することができる。
【００２２】
また、上記デジタル方式データ２８への変換までを一つの機器内で実施するため、パーソナルコンピュータ１９，２２，２３側においてはハードウェアの増設、及びソフトウェアの新規インストール等は不要である。
【産業上の利用可能性】
【００２３】
本発明は、地上波及び衛星波デジタル放送を録画するためのデジタル放送録画装置に適用可能である。
【符号の説明】
【００２４】
１０  デジタル放送録画装置
１１  デジタル放送用チューナ
１２  アンテナ
１３  デジタル／アナログ変換装置  
１４  アナログ方式データ
１５  デジタル方式データ
１６  キャプチャーデバイス
１７  記憶装置
１８  専用線
１９  パーソナルコンピュータ
２０  専用線の接続端子
２１  ＬＡＮ回線
２２  パーソナルコンピュータ
２３  パーソナルコンピュータ
２４  ＬＡＮ回線の接続端子
２５  外部メディア
２６  外部記録メディア用デバイス
２７  放送電波
２８  デジタル方式データ
【図１】
0005606149.tif 000002